【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
コイルサブアセンブリとタワーサブアセンブリとを備える電磁コイルアセンブリであって、
前記コイルサブアセンブリは、
第１の開口部を有するコイルハウジングであって、磁束伝導材料から形成されているコイルハウジングと、
前記コイルハウジングに隣接して配置された複数の巻きを有するコイル巻線と、
前記第１の開口部に隣接し且つ前記コイルハウジングの第１の表面に沿って延在するベースを有するタワーマウントと、
前記ベースに固定される第１のマウントブッシュであって、導電性材料から形成され、前記コイルハウジングから電気的に絶縁され、前記コイル巻線に電気的に接続される第１のマウントブッシングと、を有しており、
前記タワーサブアセンブリは、
前記コイルハウジングの第２の表面に配置されたタワーハウジングであって、前記第２の表面が前記第１の表面の反対側に配置されているタワーハウジングと、
前記第１のマウントブッシングに電気的に接続された第１のタワーブッシングと、
前記第１のタワーブッシングを前記第１のマウントブッシングに固定する第１の締結具であって、前記コイルハウジングの第２の表面の近傍から前記第１のマウントブッシングに係合可能である第１の締結具と、を有している電磁コイルアセンブリ。
【請求項２】
前記タワーハウジングの内部空間に配置され、前記第１のタワーブッシングに電気的に接続された回路基板と、
前記回路基板に電気的に接続され、前記タワーハウジングから延びるリード線と、を有している、請求項１記載のアセンブリ。
【請求項３】
前記回路基板は、前記タワーハウジングの内部空間内に封入されている、請求項２記載のアセンブリ。
【請求項４】
前記タワーハウジングは、前記内部空間に隣接して配置された第１の締結具通路をさらに含み、
前記第１の締結具通路は、前記第１の締結具へのアクセスを提供するように構成されている、請求項２記載のアセンブリ。
【請求項５】
前記タワーハウジング内に少なくとも部分的に配置されたホール効果センサ素子を更に有する、請求項２記載のアセンブリ。
【請求項６】
前記タワーマウントは、前記ベースから突出する第１のボスをさらに含み、
前記第１のマウントブッシングは、前記第１のボス内に少なくとも部分的に配置されており、
前記第１のボスは、前記コイルハウジングの前記第１の開口部を貫通している、請求項１に記載のアセンブリ。
【請求項７】
前記第１のタワーブッシングは、前記第１のマウントブッシングに直接物理的に接触しており、
前記第１の締結具は、前記第１のタワーブッシングを前記第１のマウントブッシングに対して圧縮して保持する、請求項１記載のアセンブリ。
【請求項８】
前記第１のマウントブッシングは、ねじ付き雌ブッシングであり、
前記第１の締結具は、前記第１のタワーブッシングを貫通するシャンクと、前記第１のマウントブッシングより前記第１のタワーブッシングの反対側に位置するヘッドと、を有するねじ付き締結具であり、
前記第１のタワーブッシングは、前記第１のマウントブッシングから離れて延在するリード線を有する、請求項１記載のアセンブリ。
【請求項９】
前記コイルハウジングは、
リング状の軸方向に延びる部分と半径方向に延びる部分とを有する内側極と、
リング状の軸方向に延びる部分と半径方向に延びる部分とを有する外側極と、を有しており、
前記内側極と前記外側極とのそれぞれの半径方向に延びる部分が互いに固定されており、前記内側極と前記外側極とのそれぞれの軸方向に延びる部分が互いに間隔を置いて配置されている、請求項１記載のアセンブリ。
【請求項１０】
前記コイルハウジングは、カップ状の形状を有し、
前記コイル巻線は、前記コイルハウジング内に少なくとも部分的に封入されている、請求項１記載のアセンブリ。
【請求項１１】
前記ベースに固定された第２のマウントブッシングであって、導電性材料で形成され、前記コイルハウジングから電気的に絶縁され、前記第１のマウントブッシングとは反対側の端部で前記コイル巻線に電気的に接続されている第２のマウントブッシュと、
前記第２のマウントブッシングに電気的に接続されている第２のタワーブッシングと、を有している、請求項１記載のアセンブリ。
【請求項１２】
前記第１の締結具は、前記タワーハウジングと前記タワーマウントのベースとの間で前記コイルハウジングの壁部をクランプし、
前記第１のマウントブッシング及び前記第１の締結具のうちの少なくとも一方が、前記コイルハウジングの前記第１の開口部を貫通する、請求項１記載のアセンブリ。
【請求項１３】
入力部材と、出力部材と、前記入力部材と前記出力部材との間に画定された作動室と、剪断流体の供給を持続するためのタンクであって流体回路によって前記作動室に流体接続されたタンクと、前記流体回路に沿った前記剪断流体の流れを制御するように構成されたバルブと、を含む粘性式クラッチアセンブリであって、
前記粘性式クラッチアセンブリは、さらに、
請求項１記載の電磁コイルアセンブリであって、前記バルブの動作が、前記電磁コイルアセンブリによって生成される磁束によって電磁的に制御される電磁コイルアセンブリを備えている、粘性式クラッチアセンブリ。
【請求項１４】
タワーマウントのベースをコイルハウジングの空洞内に位置決めするステップ、
マウント端子を前記コイルハウジングの開口部と整列させるステップであって、前記マウント端子が前記ベースに固定されるステップ、
前記ベースがコイル巻線の巻線と前記コイルハウジングの壁部との間にあるように、前記コイル巻線の巻線を前記コイルハウジングの空洞内に位置決めするステップ、
前記マウント端子を前記コイル巻線に電気的に接続するステップ、
前記タワーマウントのベースから前記コイルハウジングの壁部の反対側にタワーハウジングを配置するステップであって、前記タワーハウジングがタワー端子を担持するステップ、及び、
前記タワー端子を前記マウント端子に締結具で接続するステップであって、前記コイルハウジングの壁部の開口部を介して構造的機械的接続と電気的接続との両方を提供する前記締結具を接続するステップ、を備える方法。
【請求項１５】
前記タワーハウジングにおける内部空間内に回路基板を封入するステップ、
前記タワー端子から前記回路基板にリード線を電気的に接続するステップ、及び、
少なくとも１つの電気ケーブルを前記回路基板に電気的に接続するステップであって、前記電気ケーブルは前記タワーハウジングの外側に延在しているステップ、をさらに備える請求項１４記載の方法。
【請求項１６】
前記コイル巻線を前記コイルハウジング内に封入するステップをさらに備える、請求項１４記載の方法。
【請求項１７】
前記締結具でクランプ力を発生させるステップであって、前記クランプ力を、前記コイルハウジングの壁部の開口部を貫通する軸線に沿って発生させるステップをさらに備える、請求項１４記載の方法。
【請求項１８】
前記タワーマウントのベースを前記マウント端子にオーバーモールドするステップ、及び、
前記タワーハウジングを前記タワー端子にオーバーモールドするステップ、をさらに備える請求項１４記載の方法。
【請求項１９】
粘性式クラッチの軸に前記コイルハウジングを取り付けるステップであって、前記タワーマウントのベースから前記コイルハウジングの壁部の反対側に前記タワーハウジングを位置決めする前、且つ前記タワー端子を前記マウント端子に前記締結具で接続する前であるが、前記コイルハウジングの空洞内に前記コイル巻線の巻きを位置決めした後、且つ前記タワーマウントのベースを前記コイルハウジングの空洞内に位置決めした後、且つ前記マウント端子を前記コイルハウジングの壁部の開口部と整列させた後、且つ前記マウント端子を前記コイル巻線に電気的に接続した後に、粘性式クラッチの軸に前記コイルハウジングを取り付けるステップ、をさらに備える請求項１４記載の方法。
【請求項２０】
コイルサブアセンブリと、前記コイルサブアセンブリに取り外し可能に接続されているタワーサブアセンブリと、を備える電磁コイルアセンブリであって、
前記コイルサブアセンブリは、
前記コイルハウジングの内側に空洞を画定するカップ形状の壁部を有するコイルハウジングであって、開口部が前記壁部を貫通して延在し、前記コイルハウジングの壁部は磁束伝導材料から形成されているコイルハウジングと、
前記コイルハウジングの空洞内に配置された複数の巻きを有するコイル巻線と、
ベースとボスとを有するタワーマウントであって、前記ベースは、前記開口部に隣接する前記空洞内に配置され、前記コイルハウジングの壁部の内面に沿って延在しており、前記ボスは、前記ベースから前記開口部を通って突出している、タワーマウントと、
前記ベースに固定されるマウント端子であって、導電性材料から形成され、前記ボスによって前記コイルハウジングから電気的に絶縁され、前記コイル巻線に電気的に接続されるマウント端子と、を有しており、
前記タワーサブアセンブリは、
前記コイルハウジングの外部に配置され、前記コイルハウジングの壁部の外面に沿って延びるタワーハウジングと、
前記マウント端子に電気的に接続されたタワー端子と、
前記コイルサブアセンブリを前記タワーサブアセンブリに固定する締結具であって、前記タワーハウジングと前記タワーマウントのベースとの間で前記コイルハウジングの壁部をクランプし、前記タワー端子と前記マウント端子との間に電気接続を形成する締結具と、を有している、電磁コイルアセンブリ。
【請求項２１】
前記タワーハウジングの内部空間内に封入され、前記タワー端子に電気的に接続された回路基板と、
前記回路基板に電気的に接続され、前記タワーハウジングから延びるリード線と、をさらに備える、請求項２０記載のアセンブリ。
【請求項２２】
タワーマウントのベースをコイル磁極の第１の側に位置決めするステップであって、コイル巻線の巻線が前記コイル磁極に隣接して配置されるステップ、
マウント端子を前記コイル磁極の開口部に整列させるステップであって、前記マウント端子は、前記ベースに固定され且つ前記コイル巻線に電気的に接続されるステップ、
タワーハウジングを前記コイル磁極の第２の側に配置するステップであって、前記第２の側は前記第１の側の反対側に位置し、前記タワーハウジングはタワー端子を担持するステップ、及び、
前記タワー端子を前記マウント端子に締結具で接続するステップであって、前記コイル磁極の開口部を介して構造的機械的接続と電気的接続との両方を提供する前記締結具を接続するステップ、を備える方法。
【請求項２３】
前記タワー端子に回路基板を電気的に接続するステップであって、前記回路基板は前記タワーハウジング内に配置されるステップ、
前記回路基板にセンサ素子を電気的に接続するステップであって、前記センサ素子は前記タワーハウジングによって担持されているステップ、をさらに備える請求項２２記載の方法。
【請求項２４】
粘性式クラッチの軸に前記コイル磁極を取り付けるステップであって、前記タワーハウジングを前記コイル磁極の第２の側に配置する前、且つ前記タワー端子を前記マウント端子に前記締結具で接続する前であるが、前記タワーマウントのベースを前記コイル磁極の第１の側に配置した後、且つ前記マウント端子を前記コイル磁極の開口部と整列させた後、粘性式クラッチの軸に前記コイル磁極を取り付けるステップ、をさらに備える請求項２２記載の方法。
【請求項２５】
電磁コイルアセンブリであって、
複数の巻きを形成するコイル巻線と、
環状形状を有する成形ベースであって、前記コイル巻線に隣接して配置された成形ベースと、
導電性材料から形成され、前記成形ベースに固定されたマウントブッシングであって、前記コイル巻線が電気的に接続されているマウントブッシングと、
前記成形ベースに隣接して配置されたタワーハウジングと、
前記タワーハウジングに固定されたタワーブッシングと、
前記タワーブッシングを前記マウントブッシングに電気的に接続する締結具であって、前記タワーハウジングを前記成形ベースにさらに機械的に固定する締結具と、を備える電磁コイルアセンブリ。
【請求項２６】
非導電性材料で作られたボビンであって、前記コイル巻線の複数の巻きの少なくとも一部が前記ボビン内に配置されているボビンと、
前記コイル巻線及び前記ボビンに隣接して配置された磁束伝導性材料から形成されたコイル磁極であって、前記コイル磁極は開口部を有し、前記マウントブッシングが前記開口部を介して前記コイル巻線に電気的に接続されているコイル磁極と、をさらに備えている請求項２５記載のアセンブリ。
【請求項２７】
前記コイル磁極に隣接して配置され、軸受ハウジング開口部を有する軸受ハウジングをさらに備え、前記マウントブッシングは、前記軸受ハウジング開口部を介して前記コイル巻線に電気的に接続されている、請求項２６記載のアセンブリ。
【請求項２８】
前記軸受ハウジングは、前記コイル磁極の前記ボビンとは反対側に位置する軸方向に延びる部分を含み、軸受案内部が、前記軸方向に延びる部分の半径方向内側に面する側に設けられ、前記成形ベースが、前記軸方向に延びる部分の半径方向外側に面する側に配置される、請求項２７に記載のアセンブリ。
【請求項２９】
前記締結具は、ねじ付き締結具であり、前記ねじ付き締結具は、前記マウントブッシングにねじ係合する、請求項２５に記載のアセンブリ。
【請求項３０】
前記マウントブッシングは、半径方向外側に面するマウントブッシング開口部を含み、前記タワーブッシングは、タワーブッシング開口部を含み、前記締結具は、前記タワーブッシング開口部を通って前記マウントブッシング開口部内に実質的に半径方向に延在する、請求項２５に記載のアセンブリ。
【請求項３１】
電磁コイルアセンブリを製造する方法であって、
前記方法は、
ポリマー材料から形成され、環状形状を有するベースに、導電性のマウントブッシングを固定するステップ、
コイル巻線の巻きに隣接して前記ベースを位置決めするステップ、
前記コイル巻線を前記マウントブッシングに電気的に接続するステップ、
導電性のタワーブッシングをタワーハウジングに固定するステップ、
タワーハウジングを前記ベースの半径方向外側に面する表面に隣接して配置するステップ、及び、
前記タワーブッシングを前記マウントブッシングに締結具で接続するステップであって、前記締結具を接続することにより、（ａ）前記タワーハウジングを前記ベースに支持する構造的機械的接続と、（ｂ）前記マウントブッシングと前記タワーブッシングとの間の電気的接続との両方が形成されるステップ、を備える電磁コイルアセンブリを製造する方法。
【請求項３２】
前記ベースに固定された追加のマウントブッシングに前記コイル巻線を電気的に接続するステップ、及び、
前記追加のマウントブッシングを追加のタワーブッシングに追加の締結具で接続するステップであって、前記追加のタワーブッシングは前記タワーハウジングに固定され、前記追加の締結具を接続することにより、（ａ）前記タワーハウジングを前記ベースに支持する追加の構造的機械的接続と、（ｂ）前記追加のマウントブッシングと前記追加のタワーブッシングとの間の追加の電気的接続との両方が形成されるステップ、をさらに備える請求項３１記載の方法。
【請求項３３】
前記タワーハウジングが、前記締結具及び前記追加の締結具のみによって前記ベースに固定され、これにより、前記締結具及び前記追加の締結具が、前記タワーハウジングを前記ベースに支持する唯一の構造的機械的接続を提供する、請求項３２に記載の方法。
【請求項３４】
前記コイル巻線の巻線と前記ベースとの間に配置された、磁束伝導材料から形成されているコイル磁極の少なくとも１つの開口部に前記コイル巻線の端部を貫通させるステップ、をさらに備える請求項３１記載の方法。
【手続補正２】
【補正対象書類名】明細書
【補正対象項目名】００５３
【補正方法】変更
【補正の内容】
【００５３】
図示の実施形態のコイルサブアセンブリ１３４Ｃは、コイル巻線７２と、ボビン１０１と、第１の磁極（又はハウジング片）１７０−１と、第２の磁極（又はハウジング片）１７０−２と、軸受ハウジング１７３と、タワーマウント１７４とを含む。コイル巻線７２は、ボビン１０１内に配置された複数の巻きを含み、ボビン１０１は、成形ポリマー材料などの非導電性材料で作ることができる。コイル巻線７２は、ボビン１０１内に封入（例えば、ポッティング）することができる。第１及び第２の磁極１７０−１及び１７０−２は、ボビン１０１及びコイル巻線７２に隣接して配置され、ボビン１０１は、コイル巻線７２と第１及び第２の磁極１７０−１、１７０−２との間に配置される。図１１に示すように、第１の磁極１７０−１は、ボビン１０１に軸方向に隣接して配置され、概ね半径方向に延びる環状部材であり、第２の磁極１７０−２は、ボビン１０１に半径方向に隣接して配置され、概ね軸方向に延びる環状部材である。第１及び第２の磁極１７０−１、１７０−２は、それぞれ磁束伝導性材料から作られる。磁束回路をさらに形成するために、追加の磁極構造（図示せず）を設けることができる。ボビン１０１及びコイル巻線７２は、少なくとも第２の磁極１７０−２によって形成された空洞内に少なくとも部分的に配置することができる。
【手続補正３】
【補正対象書類名】明細書
【補正対象項目名】００５４
【補正方法】変更
【補正の内容】
【００５４】
軸受ハウジング１７３は、第１の磁極１７０−１に隣接して配置することができる。図示の実施形態では、軸受ハウジングは、ボビン１０１及びコイル巻線７２の巻きから第１の磁極１７０−１の反対側で第１の磁極１７０−１に軸方向に隣接して配置される。軸受ハウジング１７３は、軸方向に延在する環状の部分１７３−１を含み、当該部分は、軸又は他の構造（図示せず）上でコイルアセンブリ１３４を回転可能に支持できるコイル軸受５０に係合するために、半径方向内向き表面で軸受案内部を提供することができる。軸受ハウジング１７３は、半径方向に延びる部分１７３−２をさらに含むことができる。
【手続補正４】
【補正対象書類名】明細書
【補正対象項目名】００５５
【補正方法】変更
【補正の内容】
【００５５】
タワーマウント１７４はベース１７４−１を含むことができ、ベース１７４−１は、ポリマー材料から作ることができ、軸受ハウジング１７３の軸方向に延在する部分１７３−１上にオーバーモールド又はその他の方法で支持することができる。ベース１７４−１は、実質的に環状の形状を有することができ、１つ以上の外側に突出するボス１７４−２Ａを含むことができる（図１１では１つのみが見える）。少なくとも１つのマウントブッシング１７６Ａは、ベース１７４−１によって支持され、１つのマウントブッシング１７６は、ブッシング７６Ａ、７６Ｂに関して上述されたのと同様の方法で、各ボス１７４−２上又は各ボス１７４−２内に提供され得る。図１１の実施例に示すように、ベース１７４−１は、コイル巻線７２に軸方向に隣接し、コイル軸受５０の外側で、コイル巻線７２と半径方向に重なる位置に配置される。さらなる実施形態では、ベース１７４−１は、ボビン１０１と一体的かつ堅固に形成することができ、又は第２の磁極１７０−２又は別の適切な支持構造上に支持（例えば、オーバーモールド）することができる。
【手続補正５】
【補正対象書類名】明細書
【補正対象項目名】００５６
【補正方法】変更
【補正の内容】
【００５６】
コイル巻線７２の端部７２Ａは、マウントブッシング１７６Ａに電気的に接続されている。コイル巻線７２とマウントブッシング１７６Ａとの間の電気的接続を形成するために、端部７２Ａは、ボビン１０１、第１の磁極１７０−１、軸受マウント１７３、及びベース１７４−１のそれぞれの開口部１０１Ａ、１７０−１Ａ、１７３Ａ、及び１７４−１Ａを貫通することができる。コイル巻線の別の端部（図示せず）は、別のマウントブッシングに接続することができ、他の端部は、端部７２Ａと同じ又は異なる開口部を貫通する。
【手続補正６】
【補正対象書類名】図面
【補正対象項目名】図１１
【補正方法】変更
【補正の内容】
【図１１】
2020507209.tif 000001